(57)【特許請求の範囲】
【請求項１】
本体上面に鍋など被加熱調理具を載置するトッププレートと、前記トッププレート下方に配置した加熱コイルと、前記加熱コイルに高周波電力を供給する回路ユニットと、前記加熱コイル及び前記回路ユニットなどに冷却風を送風する冷却ファンと、を前記本体内部に配設し、前記冷却ファンは前記回路ユニットの前方に配置して、前記本体の外郭前方に設けた吸気口から前記冷却風を吸入し、前記本体後部上面の排気口から排気するもので、前記回路ユニットには多層構成の基板収納面を備え、前記基板収納面の前方から後方に向け送風通路が形成され、前記基板収納面後部を上向きの後辺リブで囲い、上層側の前記基板収納面の後辺を下層側の前記基板収納面後辺よりも後方に配し、最上層の前記基板収納面は、その後辺よりも後方まで覆うカバーで覆った誘導加熱調理器。
【請求項２】
最下層の前記基板収納面の後方に、前壁面と後壁面とを備える溝を配し、前記溝の後壁面は、上層の前記基板収納面の後辺よりも前方に配した請求項１に記載の誘導加熱調理器。
【請求項３】
最下層の前記基板収納面の後方に配した前記溝の底面に水抜き穴を配した請求項２に記載の誘導加熱調理器。
【請求項４】
最下層の前記基板収納面に配した回路基板に接続し最下層の前記基板収納面から外部に出る電線を、最下層の前記基板収納面の後方に配した前記溝の後壁面以下の高さに収納するように前記溝に収納し配線した請求項２または３に記載の誘導加熱調理器。
【請求項５】
前記溝に収納するように配線した前記電線は、前記溝の両端よりも中央側が低くなるよう
、前記溝の前壁面または後壁面のいずれかの壁面に前記電線の押え爪を配した請求項４に記載の誘導加熱調理器。
【請求項６】
前記電線は、前記トッププレートに置いた前記鍋を加熱するために、高周波交番磁界を発生する電流を前記加熱コイルに流すための、前記回路基板と前記加熱コイルの接続線とした請求項４または５に記載の誘導加熱調理器。
【発明の詳細な説明】
【技術分野】
【０００１】
本発明は、一般家庭の台所や業務用厨房等で使用する、誘導加熱調理器に関するものである。
【背景技術】
【０００２】
従来、この種の誘導加熱調理器は、本体後方の吸気口の下方本体内部に配した冷却ファンが水などを吸い込んでも、回路基板に達しにくくする構成のものがある（例えば、特許文献１参照）。
【０００３】
また、本体前方の吸気口の後方本体内部に配した冷却ファンが水などを吸い込んでも、回路基板に達しにくくする構成のものがある（例えば、特許文献２参照）。
【０００４】
図６は、特許文献１に記載された従来の誘導加熱調理器の断面図を示すものである。
【０００５】
本体内部の回路基板１を支持する回路支持台２裏面に形成され、冷却ファン３側に開口部を有し、他の部分を閉じた第１の空間４と、冷却ファン３の下方に形成され本体上面後方の吸気口５と繋がり、前記第１の空間４と前記開口部を通じて繋がる第２の空間６を有している。
【０００６】
このような構成により、吸気口５から液体が流れ込んだ際は、回路支持台２裏面の第１の空間４に液体を誘い込み、冷却ファン３下の第２の空間６に液体が溜りにくくし、冷却ファン３が液体を吸い込んで回路基板１に達することを防ぐものである。
【０００７】
また、図７は、特許文献２に記載された従来の加熱調理器の斜視図を示すものである。
【０００８】
本体前面の吸気口１１と本体内部の冷却ファン吸気口１２を、略同一平面とは異なる位置に設置し、冷却風の吸気経路を構成することで、調理時の油煙や煮汁を吸気口から吸気しにくくするものである。
【先行技術文献】
【特許文献】
【０００９】
【特許文献１】特開２００３−２８２２２３号公報
【特許文献２】特開２００８−２０９０１３号公報
【発明の概要】
【発明が解決しようとする課題】
【００１０】
しかしながら、前記従来の構成では、本体外面の開口部である本体上面後方や前面の吸気口から本体内に流れ込んだ液体を、冷却ファンが吸い込んで回路基板に達することを防ぐもので、本体外面の開口部である吸気口などから流れ込んだ液体が冷却ファンを介さず回路基板に達することを防ぐ構成ではない。
【００１１】
前面に吸気口を配し、上面後方に排気口を配するもの（例えば特許文献２）において、冷却ファンを介さない側の本体外面の開口部である排気口から本体内に液体が流れ込んだ際の回路基板に対する防水構成は不明確である。
【００１２】
したがって、従来の構成では、本体内に流れ込んだ液体を冷却ファンが吸い込んで回路基板に達することを防ぐものであり、本体外面の開口部である排気口から本体内に液体が流れ込んだ際には、液体が回路基板に達することによって、回路が誤動作したり、また、高周波大電流接続部に対し接続の信頼性を低下させるという課題を有していた。
【００１３】
本発明は、前記従来の課題を解決するもので、冷却ファンを介さない側の本体外面の開口部から本体内に液体が流れ込んだ際に、液体が回路基板に達し難くした誘導加熱調理器を提供することを目的とする。
【課題を解決するための手段】
【００１４】
前記従来の課題を解決するために、本発明の加熱調理器は、本体上面に鍋など被加熱調理具を載置するトッププレートと、前記トッププレート下方に配置した加熱コイルと、前記加熱コイルに高周波電力を供給する回路ユニットと、前記加熱コイル及び前記回路ユニットなどに冷却風を送風する冷却ファンと、を本体内部に配設し、前記冷却ファンは回路ユニットの前方に配置して、前記本体の外郭前方に設けた吸気口から前記冷却風を吸入し、前記本体後部上面の排気口から排気するもので、前記回路ユニットには多層構成の基板収納面を備え、前記基板収納面の前方から後方に向け送風通路が形成され、前記基板収納面後部を上向きの後辺リブで囲い、上層側の前記基板収納面の後辺を下層側の前記基板収納面後辺よりも後方に配し、最上層の前記基板収納面は、その後辺よりも後方まで覆うカバーで覆ったものである。
【００１５】
これによって、回路ユニットを構成する基板収納面後部を上向きの後辺リブで囲い、下層の基板収納面より後方まで上層の基板収納面で覆い、最上層の基板収納面より後方までカバーで覆われるので、排気部から滴下する液体は、上層側の基板収納面やカバーよりも前方には達し難く、基板収納面に液体は入りにくくでき、回路基板に液体が付着し難くすることができる。
【発明の効果】
【００１６】
本発明の誘導加熱調理器は、液体が排気部から滴下しても基板収納面に液体は入りにくく、回路基板に液体が付着し難くできるので、回路の誤動作の防止、また、高周波大電流接続部の接続の信頼性を確保することができる。
【図面の簡単な説明】
【００１７】
【図１】本発明の実施の形態１における誘導加熱調理器の斜視図
【図２】本発明の実施の形態１における誘導加熱調理器の断面図
【図３】本発明の実施の形態１における誘導加熱調理器の要部断面図
【図４】本発明の実施の形態１における誘導加熱調理器の最下層基板収納面の斜視図
【図５】本発明の実施の形態１における誘導加熱調理器の最下層基板収納面に電線を配した斜視図
【図６】従来の誘導加熱調理器の断面図
【図７】従来の加熱調理器の斜視図
【発明を実施するための形態】
【００１８】
第１の発明は、本体上面に鍋など被加熱調理具を載置するトッププレートと、前記トッ
ププレート下方に配置した加熱コイルと、前記加熱コイルに高周波電力を供給する回路ユニットと、前記加熱コイル及び前記回路ユニットなどに冷却風を送風する冷却ファンと、を前記本体内部に配設し、前記冷却ファンは前記回路ユニットの前方に配置して、前記本体の外郭前方に設けた吸気口から前記冷却風を吸入し、前記本体後部上面の排気口から排気するもので、前記回路ユニットには多層構成の基板収納面を備え、前記基板収納面の前方から後方に向け送風通路が形成され、前記基板収納面後部を上向きの後辺リブで囲い、上層側の前記基板収納面の後辺を下層側の前記基板収納面後辺よりも後方に配し、最上層の前記基板収納面は、その後辺よりも後方まで覆うカバーで覆って成るものである。
【００１９】
これにより、回路ユニットを構成する基板収納面後部を上向きの後辺リブで囲い、下層の基板収納面より後方まで上層の基板収納面で覆い、最上層の基板収納面より後方までカバーで覆われるので、排気部から滴下する液体は、上層側の基板収納面やカバーよりも前方には達し難く、さらに、本体外郭内面で生じる液体の跳ね返りは後辺リブで遮る。これらの作用により、基板収納面に液体は入りにくくでき、回路基板に液体が付着し難くすることができる。
【００２０】
第２の発明は、特に、第１の発明において、最下層の前記基板収納面の後方に、前壁面と後壁面とを備える溝を配し、前記溝の後壁面は、上層の前記基板収納面の後辺よりも前方に配したものである。
【００２１】
これにより、本体後部上面に配した排気口から水等液体が多量に入った瞬間は、排気口下部の外郭底内面で水位が上がった状態になったり、水が跳ねたりするので、最下層の基板収納面は上層の基板収納面よりも水が達しやすい条件があるが、基板収納面の後方に前壁面と後壁面とを備える溝を設けることにより、溝が液体を吸収する空間となって、最下層の基板収納面に水が達しにくくすることができる。
【００２２】
第３の発明は、特に、第２の発明において、最下層の前記基板収納面の後方に配した前記溝の底面に水抜き穴を配したものである。
【００２３】
これにより、限られた本体内スペースに配した溝は、液体の収納容積を大きくすることが難しいが、溝に入った液体が水抜き穴を通じ外郭底内面に排水されるので、溝が液体で溢れてしまい、前方の基板収納面に達することを防ぐことができる。
【００２４】
第４の発明は、特に、第２または第３の発明において、最下層の前記基板収納面に配した回路基板に接続し最下層の前記基板収納面から外部に出る電線を、最下層の前記基板収納面の後方に配した前記溝の後壁面以下の高さに収納するように溝に収納し配線したもの
である。
【００２５】
これにより、電線は溝の後壁面の上端よりも下に収納しているので、電線が送風通路を横切らないので、送風通路面積を低減せず排気圧損となりにくくすることができる。
【００２６】
第５の発明は、特に、第４の発明において、前記溝に収納するように配線した前記電線は、前記溝の両端よりも中央側が低くなるよう、前記溝の前壁面または後壁面のいずれかの壁面に前記電線の押え爪を配したものである。
【００２７】
これにより、溝に電線を収納した状態において、電線の高さは中央部が両端よりも低くなるので、電線が液体で濡れた場合でも、電線の端部側にある接続部には伝い流れせず、接続部で水分が原因の電気的接触不良や異常発熱が生じないようにすることができる。
【００２８】
第６の発明は、特に、第４または第５の発明の前記電線は、前記トッププレートに置いた前記鍋を加熱するために、高周波交番磁界を発生する電流を前記加熱コイルに流すための、前記回路基板と前記加熱コイルの接続線としたものである。
【００２９】
これにより、高周波大電流が流れる回路基板と加熱コイルの接続線である電線が、回路基板の上を通過せず、回路基板の外を配線することができるので、回路基板内に収納した、マイコンやＩＣを含んで構成した微信号動作回路部と、回路基板と加熱コイルの接続線とを遠ざけることができ、微信号動作回路の誤動作を低減することができる。
【００３０】
また、溝に収納した高周波大電流が流れる電線の端部側にある接続部に液体が伝い流れせず、水分達すると異常発熱など不安全状態が生じやすい高周波大電流接続部に対し、信頼性を得る構成を提供することができる。
【００３１】
以下、本発明の実施の形態について、図面を参照しながら説明する。なお、この実施の形態によって本発明が限定されるものではない。
【００３２】
（実施の形態１）
図１は本発明の第１の実施の形態における誘導加熱調理器の斜視図、図２は本発明の第１の実施の形態における誘導加熱調理器の断面図、図３は本発明の第１の実施の形態における誘導加熱調理器の要部断面図、図４は本発明の第１の実施の形態における誘導加熱調理器の最下層基板収納面の斜視図、図５は本発明の第１の実施の形態における誘導加熱調理器の最下層基板収納面に電線を配した斜視図を示す。
【００３３】
図１から図５において、誘導加熱調理器の本体２１はキッチン等に載置して使用するもので、本体２１の上面は結晶化ガラスを素材としたトッププレート２２の周囲を金属の構成部材から成るフレーム２３で囲んで覆われている。
【００３４】
トッププレート２２には加熱部２４ａ、２４ｂが印刷されている。トッププレート２２後方で本体２１後部の部分には排気口２５を配している。加熱部２４ａ、２４ｂに対応する本体内部には誘導加熱手段を構成する加熱コイル２６ａ、２６ｂ（図示せず）が配されている。
【００３５】
トッププレート２２下部で本体２１の前面は、庫内にシーズヒーターを発熱体として備え、食材を加熱調理する加熱調理庫２７（図示せず）の扉２８と、扉２８側方で本体前面を覆う前面カバー２９とでその大部分を覆われている。
【００３６】
前面カバー２９内方には加熱コイルに高周波電力を供給する回路ユニット３０と、加熱コイル２６ａ、２６ｂと回路ユニット３０などに冷却風を送風する冷却ファン３１を回路ユニット３０の前方に配置して備えている。
【００３７】
また、誘導加熱調理器本体２１には、本体２１の前面外郭を成す全面カバー２９の前面下方のから外郭底板３２の下面前方にかけて、冷却ファン３１に通じる吸気口３３を設けている。
【００３８】
本体２１の外郭前方に設けた吸気口３３から冷却風を吸入し、本体２１後部上面に配した排気口２５から排気する。回路ユニット３０は多層構成（本実施例では２層）の基板収納面である下層の第１基板収納面３４と上層の第２基板収納面３５とを左右側面で支えて積み重ねて備え、上層の第２基板収納面３５はカバー３６で覆っている。
【００３９】
第１基板収納面３４と第２基板収納面３５の間の空間は第１送風通路３７が、第２基板収納面３５とカバー３６の間の空間は第２送風通路３８が形成され、第１基板収納面３４および第２基板収納面３５の前方から後方に向け冷却ファン３１により送風される。
【００４０】
第１基板収納面３４後部は上向きの第１後辺リブ３９で囲い、第２基板収納面３５後部は上向きの第２後辺リブ４０で囲っている。上層側の第２基板収納面３５の第２後辺リブ４０の前後方向の位置は、下層の第１基板収納面３４後部の第１後辺リブ３９よりも後方に配置している。
【００４１】
カバー３６の後端部は下向きに傾斜したカバー傾斜リブ４１があり、カバー下向き傾斜リブ４１の先端は、最上層の第２基板収納面３５の第２後辺リブ４０よりも後方まで覆っている。
【００４２】
第２基板収納面３５の第２後辺リブ４０の後方にも、下向きに傾斜した第２基板収納面傾斜リブ４２がある。
【００４３】
以上のように構成された誘導加熱調理器について、以下その動作、作用を説明する。
【００４４】
回路ユニット３０を構成する第１基板収納面３４および第２基板収納面３５の後辺をリブで囲い、下層の第１基板収納面３４の第１後辺リブ３９より後方まで上層の第２基板収納面３５で覆い、最上層の第２基板収納面３５の第２後辺リブ４０より後方までカバー３６の後端部の下向きに傾斜したカバー傾斜リブ４１で覆うので、排気口２５から調理の煮こぼれなどの液体が滴下する場合は、最上部のカバー３６に配したカバー傾斜リブ４１先端で下方に滴下する。
【００４５】
第２基板収納面３５の第２後辺リブ４０はカバー傾斜リブ４１先端よりも前方にあるので、第２後辺リブ４０の前方にある第２基板収納面３５に液体は達し難い。また、万一第２後辺リブ４０の後面が濡れても、液体は第２後辺リブ４０の後方の下向きに傾斜した第２基板収納面傾斜リブ４１先端から滴下するので、第２後辺リブ４０よりも前方にある、第１基板収納面３４後の第１後辺リブ３９を乗り越えて第１基板収納面３４に液体は達し難い。
【００４６】
さらに、排気口２５から直接本体外郭内面に液体が滴下して生じる液体の跳ね返りや飛沫は第１後辺リブ３９で遮ることができる。
【００４７】
これら作用により、第１基板収納面３４および第２基板収納面３５に液体が入り難くでき、回路ユニット３０の内部に液体が付着し難く、回路の誤動作や故障を防ぐことができる。
【００４８】
最下層の第１基板収納面３４の後方には、第１後辺リブ３９で兼ねる前壁面と後壁面４３とを備える溝４４を配し、溝４４の後壁面４３は、上層の第２基板収納面３５後部の上向きの第２後辺リブ４０よりも前方に配している。
【００４９】
このような溝４４を構成することで、本体２１後部上面に配した排気口２５から水等液体が多量に入った瞬間は、排気口２５下部の外郭底内面で水位が上がった状態になったり、水が跳ねたりするので、最下層の第１基板収納面３４は上層の第２基板収納面３５よりも水が達しやすい条件があるが、第１基板収納面３４の後方に第１後辺リブ３９で兼ねる前壁面と後壁面４３とを備える溝４４を設けることにより、溝４４が排気口２５下部の外郭底内面で溢れた液体を吸収する空間となって、最下層の第１基板収納面３４に水が達しにくくできる。
【００５０】
また、第１基板収納面３４の後方に配した溝４４の底面には、水抜き穴４５を配している。
【００５１】
本体２１内部の限られたスペースに配した溝４４は、幅や深さを大きくして液体の収納容積を大きくすることが難しいが、溝４４の底面に水抜き穴４５を配すことで、溝４４に入った液体が水抜き穴４５を通じ外郭底板３２内面に排水され、溝４４が液体で溢れてしまい、前方の第１基板収納面３４に達することを防ぐ。
【００５２】
また、第１基板収納面３４の後方に配した溝４４には、最下層の第１基板収納面３４に配した回路基板４６に接続し、第１基板収納面３４から外部に出る電線４７を、溝４４の後壁面４３以下の高さに収めるように溝に収納し配線処理している（図３、図５）。
【００５３】
これにより、電線４７は溝４４の後壁面４３の上端よりも下に収納しているので、電線４７が第１基板収納面３４と第２基板収納面３５の間に形成する第１送風通路３７を横切らない構成にできる。
【００５４】
電線４７が第１送風通路３７を横切らないことで、第１送風通路３７の通路断面積を低減せず、冷却ファン３１に対する排気圧損増大を防ぎ、回路基板４６の冷却性能低下を防ぐことができる。
【００５５】
また、溝４４の後壁面４３には、押え爪４８を配し、溝４４に収納するように配線した電線４７は、溝４４の両端よりも中央側が低くなるよう、電線４７を押え爪４８で下方に押えて保持している。
【００５６】
なお、押え爪４８の下方は、樹脂で形成された第１基板収納面３４と溝４４全体を樹脂成型する際に、押え爪４８の金型上の抜き穴を兼ねた水抜き穴４５が配されている。水抜き穴は、押え爪４８の下にあれば、電線４７から流れ落ちた液体が容易に本体２１の底内面に流れ出る効果がある。
【００５７】
溝４４に溜る液体を排出するには、水抜き穴を配する位置は必ずしも押え爪４８の下に限るものでなく、溝４４の底面のどこかに設けてあればよい。
【００５８】
溝４４に電線４７を収納した状態において、電線４７を押え爪４８で下方に押えて保持することで、電線４７の高さは中央部が両端よりも低くなり、電線４７が液体で濡れた場合でも、電線４７の端部側にある接続部４９には伝い流れせず、水分が電線４７を伝い流れることが原因の接続部４９での電気的接触不良や異常発熱が生じないものである。
【００５９】
なお、溝４４の前壁面である第１後辺リブ３９または後壁面４３のいずれかの壁面に押え爪４８を備えれば同一の効果を得ることができる。
【００６０】
さらに、電線４７は、トッププレート２２に置いた鍋を加熱するために、加熱コイル２６ａが高周波交番磁界を発生する電流を流すための、回路基板４６と加熱コイル２６ａとを電気的につなぐ接続線とすれば、特有の効果を得ることができる。
【００６１】
高周波大電流が流れる回路基板４６と加熱コイル２６ａの接続線である電線４７を、回路基板４６の上を通過させず、回路基板４６の外周に沿い配線することができるので、回路基板４６内に配置した、マイコンやＩＣを含んで構成した微信号動作回路部と、回路基板４６と加熱コイル２６ａを接続する電線４７とを遠ざけることができ、さらに微信号動作回路部と高周波大電流が流れる電線４７の距離を一定にしてノイズ影響のバラツキが低減され、高周波大電流が原因の微信号動作回路の誤動作を低減できる。
【００６２】
また、溝４４に収納した高周波大電流が流れる電線４７の端部側にある接続部４９に液体が伝い流れせず、水分達すると異常発熱など不安全状態が生じやすい高周波大電流接続部に対し、信頼性を得る構成を供することができる。
【００６３】
また、回路基板４６の誤動作防止や本体２１の外部に漏れる電気的ノイズ低減のため、電線４７に取り付けられることがあるフェライトコア５０を、押え爪４８の近傍に配することにより、重量があるフェライトコア５０が本体２１輸送時などの衝撃で動くことを抑制し、衝撃で破砕することを防ぐことができる。
【産業上の利用可能性】
【００６４】
以上のように、本発明にかかる誘導加熱調理器は、液体が排気口から滴下しても、液体は上層側の基板収納面やカバーよりも前方には達し難く、さらに、本体外郭内面で生じる液体の跳ね返りは後辺リブで遮るので、基板収納面に液体は入り難くでき、回路基板に液体が付着し難くすることができるので、調理機器の用途に有効である。
【符号の説明】
【００６５】
２１  本体
２２  トッププレート
２５  排気口
２６ａ、２６ｂ  加熱コイル
３０  回路ユニット
３１  冷却ファン
３３  吸気口
３４  第１基板収納面（基板収納面）
３５  第２基板収納面（基板収納面）
３６  カバー
３７  第１送風通路（送風通路）
３８  第２送風通路（送風通路）
３９  第１後辺リブ（後辺リブ）
４０  第２後辺リブ（後辺リブ）
４３  後壁面
４４  溝
４６  回路基板
４７  電線
４８  押え爪
【図１】
0005533054.tif 000002
【図２】
0005533054.tif 000003
【図３】
0005533054.tif 000004
【図４】
0005533054.tif 000005
【図５】
0005533054.tif 000006
【図６】
0005533054.tif 000007
【図７】
0005533054.tif 000008